(57)【要約】      （修正有）【課題】水が口出部から内部に入ることを抑制できる技術を提供する。【解決手段】モータ用のステータユニット２は、中心軸を中心とする環状のステータ２０と、前記ステータの少なくとも一部を覆うケーシング２１と、前記ステータが有するコイルに、電気的に接続される導線と、前記導線を通す口出部２３と、を有する。前記ケーシングは、前記中心軸を中心とする筒状のケーシング本体部２１０と、前記ケーシング本体部の径方向外方に配置される環状壁２１１と、前記ケーシング本体部と前記環状壁との間に位置し、前記ステータの径方向外方に配置されるロータと軸方向に対向する環状底面２１２と、を有する。前記環状壁は、前記環状壁の外周面と内周面とを接続するスリット部２１１０を有する。前記口出部は、前記ケーシングの軸方向一方側に配置される前記スリット部に対して、前記ケーシングを挟んで軸方向他方側に配置されている。【選択図】図３
2019022416.tif 000002
【特許請求の範囲】
【請求項１】
モータ用のステータユニットであって、
中心軸を中心とする環状のステータと、
前記ステータの少なくとも一部を覆うケーシングと、
前記ステータが有するコイルに、電気的に接続される導線と、
前記導線を通す口出部と、
を有し、
前記ケーシングは、
前記中心軸を中心とする筒状のケーシング本体部と、
前記ケーシング本体部の径方向外方に配置される環状壁と、
前記ケーシング本体部と前記環状壁との間に位置し、前記ステータの径方向外方に配置されるロータと軸方向に対向する環状底面と、
を有し、
前記環状壁は、前記環状壁の外周面と内周面とを接続するスリット部を有し、
前記口出部は、前記ケーシングの軸方向一方側に配置される前記スリット部に対して、前記ケーシングを挟んで軸方向他方側に配置されている、ステータユニット。
【請求項２】
前記口出部は、前記スリット部よりも径方向内側に位置する、請求項１に記載のステータユニット。
【請求項３】
前記環状底面には、軸方向他方側に向けて凹む凹部が前記スリット部の径方向内側に設けられている、請求項１又は２記載のステータユニット。
【請求項４】
前記凹部の径方向外側には、前記凹部の底面から軸方向一方側に向けて突出する壁部が設けられ、
前記壁部の軸方向一端面は、前記スリット部の底面を構成する、請求項３に記載のステータユニット。
【請求項５】
前記壁部の径方向内側の側面は、前記中心軸からの径方向の距離が軸方向一方側に向かうにつれて長くなる傾斜面を有する、請求項４に記載のステータユニット。
【請求項６】
前記ケーシング本体部は、軸方向一方側の端面に、軸方向他方側に向かって凹み、径方向に延びるケーシング本体溝を有し、
前記ケーシング本体溝は、前記スリット部と径方向に重なる、請求項１から５のいずれか１項に記載のステータユニット。
【請求項７】
前記口出部は、軸方向からの平面視において、周方向の端面に、径方向に凹凸が並ぶ第１凹凸部を有し、
前記ケーシングは、周方向に対向する一対の取付面を有し、
前記口出部は、前記一対の取付面の間に位置し、
前記一対の取付面は、軸方向からの平面視において、径方向に凹凸が並ぶ第２凹凸部を有し、
前記第１凹凸部と前記第２凹凸部とは、凹凸の径方向位置が互いに異なり、嵌め合っている、請求項１から６のいずれか１項に記載のステータユニット。
【請求項８】
請求項１から７のいずれか１項に記載のステータユニットと、
前記ロータと、
前記ロータを覆い、前記ケーシングに取り付けられるカバーと、
を有し、
前記カバーと前記スリット部とにより開口を構成する、モータ。
【請求項９】
前記カバーは、前記環状壁の軸方向一方側の端面と接触する位置決め面を有する、請求項８に記載のモータ。
【請求項１０】
前記カバーは、内周面に径方向内方に突出するリブを有し、
前記リブの径方向内側の端面は、前記環状壁の内周面と比べて、径方向位置が同じ、或いは、径方向外方に位置する、請求項８又は９に記載のモータ。
【請求項１１】
前記中心軸が水平方向に延び、
前記開口及び前記口出部が鉛直方向下側に配置される、請求項８から１０いずれか１項に記載のモータ。
【発明の詳細な説明】
【技術分野】
【０００１】
本発明はステータユニット及びモータに関する。
【背景技術】
【０００２】
特開平３−１１７３４３号公報には、モールドモータのドレン構造の改良に関する発明が開示される。このモールドモータは、固定子鉄心及び巻線をモールドしてなる合成樹脂製のハウジングと、前記固定子鉄心を外側から覆うようにハウジングに接合固定された金属製のブラケットと、前記ブラケットに支持された回転軸と、前記回転軸に結合されたロータとを具備する。前記ブラケットが接合するハウジングの接合面にドレン溝が形成されている。
【先行技術文献】
【特許文献】
【０００３】
【特許文献１】特開平３−１１７３４３号公報
【発明の概要】
【発明が解決しようとする課題】
【０００４】
特開平３−１１７３４３号公報に開示されるモールドモータが中心軸を水平に向けて使用される場合、ドレン溝は鉛直方向下側に配置されればよい。これにより、重力の作用によって、モータの内部の水を外部に排出することができる。また、ドレン溝から内部に水が浸入することを抑制できる。
【０００５】
ただし、この場合に、給電線等の導線をモータの外部から内部へと通す口出部が、ドレン溝の、モータの外部に面する外部開口に接近して配置されると、口出部に水がかかり易くなる。口出部が、ドレン溝の外部開口から周方向に離して配置されると、口出部に水がかかり難くなる。しかし、この場合には、口出部の位置が鉛直方向下側から離れた位置になるために、口出部からモータの内部に水が入り易くなる。
【０００６】
本発明は、水が口出部から内部に入ることを抑制できる技術を提供することを目的とする。
【課題を解決するための手段】
【０００７】
本発明の例示的なステータユニットは、中心軸を中心とする環状のステータと、前記ステータの少なくとも一部を覆うケーシングと、前記ステータが有するコイルに、電気的に接続される導線と、前記導線を通す口出部と、を有する。前記ケーシングは、前記中心軸を中心とする筒状のケーシング本体部と、前記ケーシング本体部の径方向外方に配置される環状壁と、前記ケーシング本体部と前記環状壁との間に位置し、前記ステータの径方向外方に配置されるロータと軸方向に対向する環状底面と、を有する。前記環状壁は、前記環状壁の外周面と内周面とを接続するスリット部を有する。前記口出部は、前記ケーシングの軸方向一方側に配置される前記スリット部に対して、前記ケーシングを挟んで軸方向他方側に配置されている。
【０００８】
また、本発明の例示的なモータは、上述した本発明の例示的なステータユニットと、前記ロータと、前記ロータを覆い、前記ケーシングに取り付けられるカバーと、を有する。前記カバーと前記スリット部とにより開口を構成する。
【発明の効果】
【０００９】
例示的な本発明のステータユニット及びモータにおいては、水が口出部から内部に入ることを抑制できる。
【図面の簡単な説明】
【００１０】
【図１】図１は、本発明の実施形態に係るモータの斜視図である。
【図２】図２は、本発明の実施形態に係るモータの断面図である。
【図３】図３は、本発明の実施形態に係るステータユニットの斜視図である。
【図４】図４は、口出部とスリット部との関係を拡大して示す断面図である。
【図５】図５は、スリット部を及びその周辺を拡大して示す斜視図である。
【図６】図６は、ケーシングと口出部との関係を拡大して示す平面図である。
【図７】図７は、本発明の実施形態に係るモータが有するカバーの斜視図である。
【図８】図８は、カバーとケーシングとの関係を拡大して示す断面図である。
【図９】図９は、本発明の実施形態に係るステータユニットの変形例を示す平面図である。
【発明を実施するための形態】
【００１１】
以下、本発明の例示的な実施形態について、図面を参照しながら詳細に説明する。本明細書では、モータ１の中心軸Ａと平行な方向を「軸方向」、モータ１の中心軸Ａに直交する方向を「径方向」、モータ１の中心軸Ａを中心とする円弧に沿う方向を「周方向」とそれぞれ称する。また、本明細書では、図２に示す方向にモータ１が配置された場合における、中心軸Ａと直交する面を鉛直面とし、当該鉛直面に直交する面を水平面とする。水平方向は水平面に平行な方向であり、鉛直方向は水平面と垂直な方向である。ただし、これらの方向の定義は、本発明に係るモータ１の使用時の向きを限定することを意図しない。
【００１２】
また、ステータユニット３に関しても、モータ１内に組み込まれた状態においてモータ１の軸方向、径方向及び周方向と一致する方向を、単に「軸方向」、「径方向」及び「周方向」と呼ぶことにする。
【００１３】
＜１．モータの概略構成＞
まず、本発明の例示的な実施形態に係るモータの概略構成について説明する。図１は、本発明の実施形態に係るモータ１の斜視図である。図２は、本発明の実施形態に係るモータ１の断面図である。図１及び図２に示すように、モータ１は、ステータユニット２と、回転部３と、カバー４とを有する。なお、ステータユニット２は、モータ用のステータユニットである。モータ１は、アウターロータ型のモータである。
【００１４】
ステータユニット２は、ステータ２０と、ケーシング２１と、導線２２と、口出部２３と、を有する。
【００１５】
ステータ２０は中心線Ａを中心とする環状である。ステータ２０はモータ１の電機子である。ステータ２０は、ステータコア２０１と、コイル２０２と、インシュレータ２０３とを有する。ステータコア２０１は、例えば、ケイ素鋼板等の電磁鋼板が軸方向に積層された積層鋼板である。ステータコア２０１は、中心軸Ａを中心とする円環状のコアバック２０１ａを有する。ステータコア２０１は、コアバック２０１ａから径方向外方に向けて突出する複数のティース２０１ｂを有する。複数のティース２０１ｂは、周方向に等間隔に配列される。
【００１６】
コイル２０２は、インシュレータ２０３を介して各ティース２０１ｂに導線を巻き付けることによって構成される。すなわち、コイル２０２は、周方向に複数配置される。インシュレータ２０３は、ステータコア２０１の少なくとも一部を覆う。インシュレータ２０３は、ステータコア２０１とコイル２０２とを電気的に絶縁する絶縁性の樹脂部材である。
【００１７】
ケーシング２１はステータ２０の少なくとも一部を覆う。ケーシング２１は樹脂製である。ケーシング２１は、例えばインサート成型によってステータ２０と一体化される。ケーシング２１は、後述のシャフト３０を回転可能に支持する軸受部５を保持する。軸受部５は、詳細には、軸方向に間隔をあけて２つ設けられる。軸受部５の数は変更可能である。軸受部５は、例えばボールベアリング又はスリーブ軸受等によって構成される。
【００１８】
導線２２は、ステータ２０が有するコイル２０２に、電気的に接続される。なお、導線２２は、図２に示され、図１では省略されている。導線２２は、例えば、線状のリード線であってもよいし、板状の導体板であってもよい。コイル２０２と同一部材であってよい。また、導線２２は、コイル２０２に直接接続されてもよい。また、導線２２は、回路基板などを介してコイル２０２に間接的に接続されてもよい。
【００１９】
口出部２３は導線２２を通す。口出部２３を介して、ステータユニット２の内部から外部へと導線２２が引き出される。本実施形態では、口出部２３は複数の導線２２を通す。詳細には、口出部２３は、径方向に延びる孔２３ａを有し、当該孔２３ａに導線２２が通される。孔２３ａの内部には、軸方向に延びる仕切壁２３ｂが複数設けられる。仕切壁２３ｂは周方向に等間隔に並ぶ。複数の仕切壁２３ｂによって、孔２３ａに通される複数の導線２２は、周方向に１本ずつに分けられた状態で並ぶ。本実施形態では、口出部２３は、軸方向に並ぶ２つのパーツを組み合わせて構成される樹脂部材である。
【００２０】
なお、口出部２３に通される導線には、外部からコイル２０２に給電する導線の他に、グランド線や、信号を送信する信号線等が含まれてよい。
【００２１】
回転部３は中心軸Ａを中心として回転する。回転部３は、シャフト３０と、ロータ３１とを有する。すなわち、モータ１はロータ３１を有する。ロータ３１はステータ２０の径方向外方に配置される。
【００２２】
シャフト３０は中心軸Ａに沿って延びる。シャフト３０は、例えばステンレス等の金属で形成される柱状又はパイプ状の部材である。シャフト３０は、軸受部５の径方向内方に配置され、軸受部５に回転可能に支持される。
【００２３】
ロータ３１は、詳細には、ロータホルダ３１０と、マグネット３１１とを有する。ロータホルダ３１１は磁性材で構成される。ロータホルダ３１０は、軸方向他方側が開口したカップ形状であり、軸方向一方側からケーシング２１に被せられる。ロータホルダ３１０の軸方向一端面の中央部には、シャフト３０が通されるロータ孔部３１０ａが設けられる。ロータ孔部３１０ａは、ロータホルダ３１０の軸方向一端面を軸方向に貫通する。シャフト３０は、例えばロータ孔部３１０ａに圧入され、ロータホルダ３１０に固定される。ロータホルダ３１１はシャフト３０と共に回転する。
【００２４】
マグネット３１１は永久磁石である。マグネット３１１は、ロータホルダ３１０の内周面に固定される。マグネット３１１はステータ２０の径方向外方に位置する。マグネット３１１は単一の環状マグネットである。マグネット３１１の径方向内側の面には、Ｎ極とＳ極とが周方向に交互に着磁される。単一の環状マグネットに替えて、複数のマグネットがロータホルダ３１０の内周面に配置されてよい。この場合、複数のマグネットは周方向に等間隔に配置される。複数のマグネットは、Ｎ極の磁極面とＳ極の磁極面とが周方向に交互に配置される。
【００２５】
カバー４は、ロータ３１を覆い、ケーシング２１に取り付けられる。カバー４は樹脂製である。ただし、カバー４は金属製であってもよい。カバー４は、軸方向他方側が開口したカップ形状であり、軸方向一方側からロータ３１を覆う。カバー４の軸方向一端面の中央部には、シャフト３０が通されるカバー孔部４ａが設けられる。カバー孔部４ａは、カバー４の軸方向一端面を軸方向に貫通する。シャフト３０は、カバー孔部４ａを介してカバー４の外部に突出する。シャフト３０のカバー４の外に突出した部分には、例えば送風用の羽根や、ギア等が取り付けられる。
【００２６】
モータ１は、その他、スリンガー６とブラケット７とを有する。
【００２７】
スリンガー６は、軸方向他方側が開口したカップ形状である。スリンガー６は板状であってもよい。スリンガー６は、上面の中央部にシャフト３０を通すスリンガー孔部６ａを有する。スリンガー６は、合成ゴムや天然ゴム等の弾性に富む部材で構成することが好ましい。スリンガー孔部６ａにシャフト３０が通されたスリンガー６は、その一部が弾性変形してシャフト３０に設けられるシャフト溝３０ａに嵌り込み、シャフト３０に固定される。シャフト溝３０ａは、シャフト３０の表面に対して径方向内側に凹む。スリンガー６はシャフト３０と共に回転する。スリンガー３０は、カバー４の軸方向一方側に配置され、カバー孔部４ａを覆う。スリンガー６は、カバー孔部４ａから、水や塵埃等の異物がモータ１の外部から内部へと入ることを防止する。
【００２８】
ブラケット７は、軸方向一方側が開口したカップ状である。ブラケット７は、軸方向他方側からケーシング２１に被せられる。ブラケット７はケーシング２１に固定される。ブラケット７は、軸方向他方側に配置されて、ケーシング２１の軸方向他端面の少なくとも一部を覆う。ブラケット７は、軸方向他方側に配置される軸受部５と、ケーシング２１の軸方向他端面に取り付けられる回路基板８とを覆う。ブラケット７は、例えば樹脂製又は金属製である。
【００２９】
モータ１においては、コイル２０２に電流が供給されることにより、ティース２０１ｂに径方向の磁束が発生する。この磁束によって形成される磁界と、マグネット３１１によって形成される磁界とが作用して、ロータ３１の周方向にトルクが発生する。このトルクによって、回転部３が中心軸Ａを中心として回転する。コイル２０２への電流の供給が停止されると、回転部３の回転は停止される。
【００３０】
＜２．ステータユニットの詳細＞
図３は、本発明の実施形態に係るステータユニット２の斜視図である。図３に示すように、ケーシング２１は、ケーシング本体部２１０と、環状壁２１１と、環状底面２１２とを有する。
【００３１】
ケーシング本体部２１０は、中心軸Ａを中心とする筒状である。詳細には、ケーシング本体部２１０は円筒状である。ケーシング本体部２１０はステータ２０を覆う。なお、本実施形態では、ティース２０１ｂの径方向外方の先端面は、ケーシング本体部２１０に覆われず、ケーシング本体部２１０の径方向の外周面において外部に露出する。このために、モータ１においては、ティース２１０ｂの径方向外方の先端面は、マグネット３１１に対向する。ケーシング本体部２１０は軸受部５を保持する。
【００３２】
環状壁２１１は、ケーシング本体部２１０の径方向外方に配置される。詳細には、環状壁２１１は、ケーシング本体部２１０から径方向外方に離れて位置する。環状壁２１１は円環状である。なお、本実施形態では、環状壁２１１の外周面から径方向外方に突出する取付脚部２１３が設けられる。取付脚部２１３は、周方向に等間隔に４つ設けられる。取付脚部２１３の数は変更されてよい。
【００３３】
環状底面２１２は、ケーシング本体部２１０と環状壁２１１との間に位置し、ステータ２０の径方向外方に配置されるロータ３１と軸方向に対向する。詳細には、環状底面２１２は、ケーシング本体部２１０と環状壁２１１の径方向間に位置する。環状底面２１２は円環状である。本実施形態では、環状底面２１２は、ロータホルダ３１０及びマグネット３１１の軸方向他端面と軸方向に対向する。なお、ロータ３１の径方向の外周面の一部は、環状壁２１１と径方向に対向する。
【００３４】
環状壁２１１は、環状壁２１１の外周面と内周面とを接続するスリット部２１１０を有する。本実施形態では、スリット部２１１０の数は１つである。スリット部２１１０は軸方向一方側が開口した溝形状である。径方向からの平面視において、スリット部２１１０は矩形状である。ただし、スリット部２１１０の形状は、径方向からの平面視において台形状等の他の形状に変更されてよい。
【００３５】
ケーシング本体部２１０と、環状壁２１１と、環状底面２１２とによって、ケーシング２１には環状溝２１４が構成される。スリット部２１１０は、環状溝２１４に水が溜まることを防止する。すなわち、スリット部２１１０は、環状溝２１４内の水を外部に排水する機能を有する。
【００３６】
口出部２３は、ケーシング２１の軸方向一方側に配置されるスリット部２１１０に対して、ケーシング２１を挟んで軸方向他方側に配置されている。すなわち、口出部２３とスリット部２１１０との軸方向の間には、ケーシング２１が存在する。このために、本実施形態の構成では、口出部２３とスリット部２１１０とを離して配置することができる。この結果、環状溝２１４からスリット部２１１０を介して排出される水が口出部２３にかかることを低減して、口出部２３から内部に水が入ることを抑制できる。また。口出部２３とスリット部２１１０とは軸方向に間隔をあけて並ぶために、軸方向が水平方向となる向きにステータユニット２を配置する場合に、口出部２３とスリット部２１１０との両方を鉛直方向下側に配置することができる。これにより、重力の作用によって、スリット部２１１０から水を効率良く排出できるとともに、口出部２３から水が内部に入ることを抑制できる。
【００３７】
図４は、口出部２３とスリット部２１１０との関係を拡大して示す断面図である。図４に示すように、口出部２３は、スリット部２１１０よりも径方向内側に位置する。すなわち、口出部２３とスリット部２１１０とは、径方向の位置がずれる。口出部２３は、スリット部２１１０に対して内側に引っ込んだ位置に配置される。本実施形態の構成によれば、軸方向に加えて径方向においても口出部２３とスリット部２１１０とを離して配置することができる。このために、環状溝２１４からスリット部２１１０を介して排出される水が口出部２３にかかることを低減して、口出部２３から内部に水が入ることを抑制できる。
【００３８】
図５は、スリット部２１１０を及びその周辺を拡大して示す斜視図である。図３、図４及び図５に示すように、環状底面２１２には、軸方向他方側に向けて凹む凹部２１２０がスリット部２１１０の径方向内側に設けられている。本実施形態では、凹部２１２０の周方向の幅は、スリット部２１１０の周方向の幅と同じである。ただし、凹部２１２０の周方向の幅は、スリット部２１１０の周方向の幅より大きくても、小さくてもよい。凹部２１２０は、ケーシング本体部２１０の径方向の外周面から環状壁２１１の内周面まで延びる。凹部２１１０の存在によって、スリット部２１１０の近傍において、ロータ３１と環状底面２１２との軸方向の隙間を大きくしている。これにより、ロータ３１と環状底面２１２との隙間を流れる水が表面張力で留まることを防ぎ、スリット部２１１０から効率良く外部に水を排出することができる。
【００３９】
図５に示すように、凹部２１２０の径方向外側には、凹部２１２０の底面から軸方向一方側に向けて突出する壁部２１２１が設けられる。壁部２１２１の軸方向一端面は、スリット部２１１０の底面を構成する。スリット部２１１０の底面は、凹部２１２０の底面を突出させることなく径方向に延ばして構成してもよい。ただし、本実施形態のように、壁部２１２１を設けることが好ましい。壁部２１２１によって、凹部２１２０に粉塵等の異物が入ることを防止することができる。
【００４０】
本実施形態においては、壁部２１２１の径方向内側の側面は、中心軸Ａからの径方向の距離が軸方向一方側に向かうにつれて長くなる傾斜面２１２１ａを有する。この構成では、軸方向が水平方向に向けられ、且つ、スリット部２１１０が鉛直方向下側に位置するステータユニット２において、傾斜面２１２１ａに沿って水を効率良く外部に排出することができる。なお、傾斜面２１２１ａは、壁部２１２１の径方向内側の側面の全部に設けられることが好ましいが、一部にのみ設けられてもよい。
【００４１】
図６は、ケーシング２１と口出部２３との関係を拡大して示す平面図である。図６は、ステータユニット２を軸方向他方側から見た図である。口出部２３は、例えば、樹脂ケーシング２１に対して嵌め合い、固定されている。ただし、口出部２３は、樹脂製のケーシング２１に設けられる第１口出構造部と、樹脂製のブラケット７に設けられる第２口出構造部とを組み合わせて構成されてもよい。あるいは、口出し部２３は、インサート成形等によって樹脂製のケーシング２１と一体化されてもよい。あるいは、ケーシング２１に、ネジ等の固定具を用いて固定されたり、接着剤等の接合剤を用いて固定されたりしてよい。
【００４２】
図６に示すように、口出部２３は、軸方向からの平面視において、周方向の端面に、径方向に凹凸が並ぶ第１凹凸部２３１を有する。詳細には、口出部２３は、周方向の２つの端面の両方に第１凹凸部２３１を有する。すなわち、口出部２３は２つの第１凹凸部２３１を有する。２つの第１凹凸部２３１は、口出部２３１の径方向と平行な二等分面を基準として対称配置される。詳細には、第１凹凸部２３１は、軸方向からの平面視において、径方向内側から外側に向けて、第１口出部側凹部、第１口出部側凸部、第２口出部側凹部、第２口出部側凸部、第３口出部側凹部の順に並ぶ。
【００４３】
ケーシング２１は、周方向に対向する一対の取付面２１ａを有する。口出部２３１は、一対の取付面２１ａの間に位置する。一対の取付面２１ａは、軸方向からの平面視において、径方向に凹凸が並ぶ第２凹凸部２１ｂを有する。すなわち、ケーシング２１は２つの第２凹凸部２１ｂを有する。２つの第２凹凸部２１ｂは、口出部２３１の径方向と平行な二等分面を基準として対称配置される。詳細には、第２凹凸部２１ｂは、軸方向からの平面視において、径方向内側から外側に向けて、第１取付面側凸部、第１取付面側凹部、第２取付面側凸部、第２取付面側凹部の順に並ぶ。
【００４４】
第１凹凸部２３１と第２凹凸部２１ｂとは、凹凸の径方向位置が互いに異なり、嵌め合っている。第１凹凸部２３１と第２凹凸部２１ｂとの嵌め合いは、口出部２３の周方向の両端面で行われている。詳細には、第１凹凸部２３１の第１口出部側凹部と、第２凹凸部２１ｂの第１取付面側凸部とが嵌め合う。第１凹凸部２３１の第１口出部側凸部と、第２凹凸部２１ｂの第１取付面側凹部とが嵌め合う。第１凹凸部２３１の第２口出部側凹部と、第２凹凸部２１ｂの第２取付面側凸部とが嵌め合う。
【００４５】
第１凹凸部２３１と第２凹凸部２０ｂとの嵌め合いによって、口出部２３１の径方向の位置決めを行うことができる。口出部２３とケーシング２１との境界面において、径方向に凹凸が繰り返されるために、ステータユニット２の外部から径方向内側に向かう水が、内部に入り込むための距離が長くなる。すなわち、本実施形態の構成によれば、口出部２３とケーシング２１との境界面において、水の浸入距離を長くして、内部に水が浸入し難くすることができる。
【００４６】
＜３．カバーの詳細＞
図７は、本発明の実施形態に係るモータ１が有するカバー４の斜視図である。図８は、カバー４とケーシング２１との関係を拡大して示す断面図である。図７及び図８に示すように、カバー４は、環状壁２１１の軸方向一方側の端面と接触する位置決め面４０を有する。位置決め面４０によって、ケーシング２０に対する軸方向の位置を簡単に決めることができるために、モータ１の製造効率を向上することができる。
【００４７】
詳細には、位置決め面４０はカバー４の内側に設けられる。位置決め面４０は、カバー４の軸方向他端面４ｂに対して、軸方向一方側に少し離れた位置に設けられる。位置決め面４０は、径方向に拡がる環状面であり、カバー４の内直径を変更する段差面である。位置決め面４０の軸方向一方側に比べて軸方向他方側の方がカバー４の内直径は大きい。カバー４の位置決め面４０より軸方向他方側においては、カバー４の内周面は環状壁２１１の外周面と対向する。より詳細には、カバー４の位置決め面４０より軸方向他方側においては、カバー４の内周面は環状壁２１１の外周面と接触する。すなわち、カバー４は、ケーシング２１に圧入される。
【００４８】
カバー４は、カバー４の軸方向他端面４ａから軸方向他方側に向けて突出する複数の突起４１を有する。本実施形態では、突起４１の数は３つであるが、この数は変更されてよい。複数の突起４１は、周方向に間隔をあけて配列される。複数の突起４１は、周方向に等間隔に配列されてよい。突起４１の先端には、径方向内方に突出する爪部４１ａが設けられる。環状壁２１の外周面には、径方向内方に凹む径方向凹部２１１１が設けられる。本実施形態では、径方向凹部２１１１は、突起４１の数に合わせて３つ設けられる。図８に示すように、カバー４がケーシング２１に取り付けられた状態では、爪部４１ａは径方向凹部２１１１内に嵌り込む。このために、カバー４がケーシング２１から簡単に外れることを防止できる。
【００４９】
図７に示すように、カバー４は、内周面に径方向内方に突出するリブ４２を有する。リブ４２は、詳細には、カバー４の内面側において、カバー孔部４ａの近傍から放射状に延びる。リブ４２によってカバー４の強度を向上することができる。図８に示すように、リブ４２の径方向内側の端面４２ａは、環状壁２１１の内周面と比べて、径方向位置が同じ、或いは、径方向外方に位置する。本実施形態では、リブ４２の径方向内側の端面４２ａは、環状壁２１１の内周面と比べて、径方向位置が同じである。これによれば、ロータ３１がリブ４２に接触することを防止できる。
【００５０】
図１に示すように、モータ１は、カバー４とスリット部２１１０とにより、開口９を構成する。モータ１は、カバー４によってロータ３１が覆われるためにロータ３１とケーシング２１の間に、水や、塵埃等の異物が入ることを防止できる。そして、ロータ３１とケーシング２１との間に水が入り込んだ場合でも、当該水は開口９から外部に排出することができる。
【００５１】
なお、本実施形態では、図１に示すように、カバー４の軸方向他端部に切欠部４３が設けられる。切欠部４３により、径方向において、スリット部２１１０はカバー４に覆われない。すなわち、カバー４がケーシング２１に取り付けられても、排水に必要な面積が確保された開口９が得られる。なお、排水に必要な面積が確保される場合には、カバー４が、スリット部２１１０の一部と径方向に重なってもよい。切欠部４３が設けられない構成であってもよい。
【００５２】
本実施形態では、モータ１は、中心軸Ａが水平方向に延びる。開口９及び口出部２３が鉛直方向下側に配置される。これによれば、重力の作用によって鉛直方向上側から落ちてくる水を開口９から効率良く外部に排出できる。また、本実施形態の構成によれば、口出部２３からモータ１の内部に入ろうとする水は重力の作用を受けて鉛直方向下側に向けて落ちやすくなるために、口出部２３からモータ１の内部に水が入り難くすることができる。
【００５３】
＜４．変形例＞
図９は、本発明の実施形態に係るステータユニット２の変形例を示す平面図である。図９は、変形例のステータユニット２Ａを軸方向一方側から見た図である。なお、図９には、シャフト３０Ａも示されている。変形例のステータユニット２Ａのケーシング２１Ａは、ステータ本体部２１０Ａと、環状壁２１１Ａと、環状底面２１２Ａと、を有する。環状壁２１１Ａには、スリット部２１１０Ａが設けられる。環状底面２１２Ａには、凹部２１２０Ａが設けられる。これらの構成は、上述した実施形態のステータユニット２と同様である。
【００５４】
ケーシング本体部２１０Ａは、軸方向一方側の端面にケーシング本体溝２１０１を有する。ケーシング本体溝２１０１は、軸方向他方側に向かって凹み、径方向に延びる。詳細には、ケーシング本体溝２１０１は、ケーシング本体部２１０Ａの軸方向一端面に設けられる環状凹部２１０２と繋がる。環状凹部２１０２は、軸方向他方側に凹み、円環状である。ケーシング本体溝２１０１の底面と、環状凹部２１０２の底面とは面一である。
【００５５】
ケーシング本体溝２１０１は、スリット部２１１０と径方向に重なる。本変形例の構成によれば、外部からケーシング本体部２１０Ａの軸方向一方側に入り込んだ水を、ケーシング本体溝２１０１によって、ケーシング本体部２１０Ａの径方向外側に排出することができる。そして、ケーシング本体溝２１０１がスリット部２１１０Ａと径方向に重なっているために、ケーシング本体部２１０Ａの軸方向一方側から排出された水を素早くスリット部２１１０Ａから外部に排出することができる。
【００５６】
＜５．留意点＞
以上に示した実施形態や変形例の構成は、本発明の例示にすぎない。実施形態や変形例の構成は、本発明の技術的思想を超えない範囲で適宜変更されてもよい。また、以上に示した実施形態及び複数の変形例は、可能な範囲で組み合わせて実施されてよい。
【００５７】
また、本発明は、中心軸Ａが水平方向に延びるモータ１以外に適用されてよい。例えば、本発明は、中心軸Ａが鉛直方向に延びるモータに適用されてよい。
【産業上の利用可能性】
【００５８】
本発明は、例えば屋外等の水がかかり易い環境に配置されるモータ等に広く適用できる。本発明は、例えば、鉄道用の空調機に適用されるモータに利用可能である。
【符号の説明】
【００５９】
１・・・モータ
２・・・ステータユニット
４・・・カバー
９・・・開口
２０・・・ステータ
２１・・・ケーシング
２１ａ・・・取付面
２１ｂ・・・第２凹凸部
２１・・・カバー
２２・・・導線
２３・・・口出部
３１・・・ロータ
４０・・・位置決め面
４２・・・リブ
２１０・・・ケーシング本体部
２１１・・・環状壁
２１２・・・環状底面
２３１・・・第１凹凸部
２１０１・・・ケーシング本体溝
２１１０・・・スリット部
２１２０・・・凹部
２１２１・・・壁部
２１２１ａ・・・傾斜面
Ａ・・・中心軸
【図１】
2019022416.tif 000003
【図２】
2019022416.tif 000004
【図３】
2019022416.tif 000005
【図４】
2019022416.tif 000006
【図５】
2019022416.tif 000007
【図６】
2019022416.tif 000008
【図７】
2019022416.tif 000009
【図８】
2019022416.tif 000010
【図９】
2019022416.tif 000011